(57)【要約】【課題】板金ホルダーの寸法を小さくすることが可能な技術を提供することを目的とする。【解決手段】映像機器は、表示パネル１と、バックカバー４と、交換用蓋５と、電源基板６及びＨＤＤ７とを備える。バックカバー４は表示パネル１の背面１ｂを覆う。バックカバー４には、表示パネル１と反対側に開口する有底の凹部４ａａが設けられる。電源基板６及びＨＤＤ７は、凹部４ａａの内部においてバックカバー４と着脱可能である。交換用蓋５は、凹部４ａａを覆う。【選択図】図４
2011249975.tif 000002
【特許請求の範囲】
【請求項１】
第１電子部品と、
前記第１電子部品の背面を覆うバックカバーと
を備え、
前記バックカバーには、前記第１電子部品と反対側に開口する有底の凹部が設けられ、
前記凹部の内部において前記バックカバーと着脱可能な第２電子部品
をさらに備える、電子機器。
【請求項２】
請求項１に記載の電子機器であって、
前記凹部を覆う蓋をさらに備える、電子機器。
【請求項３】
請求項２に記載の電子機器であって、
前記蓋には通風穴が設けられている、電子機器。
【請求項４】
請求項２または請求項３に記載の電子機器であって、
前記バックカバーの表面と、当該バックカバーの前記凹部を覆っている前記蓋の表面とは互いに同一平面上に存在する、電子機器。
【請求項５】
請求項１乃至請求項４のいずれかに記載の電子機器であって、
前記第１電子部品は、背面に穴が設けられた表示パネルを含み、
前記第２電子部品は、電源基板とＨＤＤ（Hard Disk Drive）とを含み、
前記バックカバーは、
互いに分離可能な、前記凹部が設けられた第１バックカバーとその残りの部分である第２バックカバーとを含み、
前記第２バックカバーと前記表示パネルの背面との間において、前記表示パネルの前記穴と固定される板金ホルダーと、
前記第２バックカバーと前記表示パネルの背面との間において、前記板金ホルダー上に固定される信号基板と
をさらに備える、電子機器。
【発明の詳細な説明】
【技術分野】
【０００１】
本発明は、電子機器に関するものであり、特にバックカバーを備え、当該バックカバーに第２電子部品が脱着可能な電子機器に関するものである。
【背景技術】
【０００２】
電子機器の一種である映像機器においては、表示パネル背面のユーザーホールとネジ固定された板金ホルダー（板金製の基板ホルダー）に、様々な電子部品を取り付けることができるものがある。板金ホルダーには、例えば、電源基板が取り付けられたり、ＨＤＤ（Hard Disk Drive）がＨＤＤ保持専用の板金製のブラケットを介して取り付けられたりしている。また、特許文献１に開示された技術では、例えばＭＰＥＧ基板及び電源基板の取り付け穴が同寸法で形成されており、それら基板が板金ホルダーに選択的に取り付けられるようになっている。
【０００３】
これらの映像機器によれば、その内部において、板金ホルダーに電子部品を取り付け可能となっていることから、電子部品を配置するためのスペースを映像機器の周辺に別途設けなくて済むようになっている。
【先行技術文献】
【特許文献】
【０００４】
【特許文献１】特開２００７−２３５４１３号公報
【発明の概要】
【発明が解決しようとする課題】
【０００５】
以上のような映像機器に代表される電子機器では、板金ホルダーにおいて予め設計される、前記電子機器とネジ固定される部分の位置と、前記電子機器に予め準備されるユーザーホールの位置とを合わせる必要がある。しかしながら、例えば、映像機器の表示パネルを想定すると、パネルメーカーによってユーザーホールの位置が異なっていることから、板金ホルダーを全メーカーのユーザーホールに対応させようとする場合には、板金ホルダーの設計制約が多くなり、板金ホルダーの寸法が大きくなることが多かった。特に、ＨＤＤなどを内蔵させて機能を追加していくと、どうしても板金ホルダーの寸法が大きくなってしまうものとなっていた。その結果、板金ホルダーのコストを低減すること、及び省スペース化が困難なものとなっていた。
【０００６】
そこで、本発明は、上記のような問題点を鑑みてなされたものであり、板金ホルダーの寸法を小さくすることが可能な技術を提供することを目的とする。
【課題を解決するための手段】
【０００７】
本発明に係る電子機器は、第１電子部品と、前記第１電子部品の背面を覆うバックカバーとを備え、前記バックカバーには、前記第１電子部品と反対側に開口する有底の凹部が設けられ、前記凹部の内部において前記バックカバーと着脱可能な第２電子部品をさらに備える。
【発明の効果】
【０００８】
本発明によれば、第２電子部品をバックカバーと着脱可能となっている。したがって、第１電子部品に板金ホルダーを取り付けた場合に、第２電子部品の取り付けに対しては板金ホルダーを用いなくて済むことから、板金ホルダーの寸法を小さくすることができる。よって、板金ホルダーの設計時に考慮すべきユーザーホールの数を減らすことができることから板金ホルダーの設計を容易化することができるとともに、板金ホルダーのコストを低減することができる。
【図面の簡単な説明】
【０００９】
【図１】実施の形態１に係る映像機器の構成を示す外観斜視図である。
【図２】実施の形態１に係る映像機器の構成を示す外観斜視図である。
【図３】実施の形態１に係る映像機器の構成を示す背面図である。
【図４】実施の形態１に係る映像機器の分解状態を示す斜視図である。
【発明を実施するための形態】
【００１０】
＜実施の形態１＞
本実施の形態１では、本発明に係る電子機器が映像機器であるものとして説明する。図１〜図２は、本実施の形態に係る映像機器の構成を示す外観斜視図である。図１は、映像機器を正面側から視た外観斜視図であり、図２は、映像機器を背面側から視た外観斜視図である。これらの図に示されるように、本実施の形態に係る映像機器は、第１電子部品たる表示パネル１と、フロントカバー２と、スタンド３と、バックカバー４と、交換用蓋５とを備える。
【００１１】
図１に示される表示パネル１は、画像を表示するパネルである。フロントカバー２は、表示パネル１の縁部分を覆う。スタンド３は表示パネル１の姿勢を保持する。
【００１２】
図２に示されるバックカバー４は、成形品からなり、表示パネル１の背面を覆う。このバックカバー４は、図２に示される分割線４ｃにおいて分割可能な左バックカバー４ａと右バックカバー４ｂとから構成されている。左バックカバー４ａ及び右バックカバー４ｂのそれぞれは、フロントカバー２とネジ固定されており、外観上の一体感が出るものとなっている。なお、左バックカバー４ａは、右バックカバー４ｂと独立してフロントカバー２と着脱可能となっている。同様に、右バックカバー４ｂは、左バックカバー４ａと独立してフロントカバー２と着脱可能となっている。
【００１３】
左バックカバー４ａには、表示パネル１と反対側に開口する有底の凹部４ａａ（図１及び図２においては図示せず）が設けられている。図２に示すように、交換用蓋５は、当該凹部４ａａを覆っている状態で、左バックカバー４ａとネジ固定されている。
【００１４】
本実施の形態においては、バックカバー４の表面と、バックカバー４の凹部４ａａを覆っている交換用蓋５の表面とは、互いに同一平面上に存在するものとなっている。つまり、交換用蓋５が左バックカバー４ａに取り付けられている場合には、図２に示すように、バックカバー４と交換用蓋５との間に、映像機器の背面方向において段差がないものとなっている。したがって、映像機器の背面がフルフラットであることから、スタンド３を取り外せば、映像機器を壁掛けすることができる。
【００１５】
図３は、図２の状態から交換用蓋５が取り外されたときの様子を示す背面図である。図３に示されるように、交換用蓋５が取り外された場合には、左バックカバー４ａに設けられた凹部４ａａが、表示パネル１と反対側に開口する。
【００１６】
同図３に示すように、本実施の形態に係る映像機器は、表示パネル１で画像を表示するのに必要な電力を生成する回路が設けられた電源基板６と、長板形状のＨＤＤ（Hard Disk Drive）７とを第２電子部品として備えている。そして、当該映像機器は、電源基板６とネジ固定されている小型のアース用板金８とを備える。
【００１７】
電源基板６及びＨＤＤ７は、凹部４ａａの内部において左バックカバー４ａと着脱可能となっている。本実施の形態では、映像機器の背面から視て、電源基板６及びＨＤＤ７は互いに重ならないように取り付けられている。したがって、電源基板６及びＨＤＤ７は、互いに独立して左バックカバー４と脱着可能となっている。
【００１８】
交換用蓋５は、凹部４ａａと、当該凹部４ａａ内に取り付けられた電源基板６及びＨＤＤ７とを覆う。なお、交換用蓋５には表面から裏面まで貫通する複数の通風穴５ａが設けられていることから、交換用蓋５が凹部４ａａを覆っていても、電源基板６及びＨＤＤ７の熱を、当該複数の通風穴５ａを介して外部に放射することができるようになっている。
【００１９】
図４は、映像機器の分解状態を示す斜視図である。
【００２０】
円板形状のダンパー７ａは、ＨＤＤ７外部の振動及び衝撃がＨＤＤ７に伝わるのを抑制するとともにＨＤＤ７自身の振動がＨＤＤ７外部に伝わるのを抑制する部品であり、ＨＤＤ７の短手方向の２つの側面のそれぞれにおいて、段付ネジ７ｂによって取り付けられている。
【００２１】
左バックカバー４ａの凹部４ａａの内部においては、映像機器の上下方向に延在し、かつ、凹部４ａａの底面から表示パネル１と反対側に突出する２つの縦リブ４ａｂが設けられている。この２つの縦リブ４ａｂは、ＨＤＤ７の短手方向の長さとほぼ同じ長さだけ互いに離隔するように設けられており、ＨＤＤ７は２つの縦リブ４ａｂの間において取り付け可能となっている。各縦リブ４ａｂの延在方向の大部分において、その延在方向と垂直な断面形状はコ字形状となっており、各縦リブ４ａｂは、ＨＤＤ７を取り付けるために十分な強度を有している。
【００２２】
２つの縦リブ４ａｂのそれぞれには、ＨＤＤ７のダンパー７ａを挿入可能な切り欠き穴４ａｃが設けられている。これら切り欠き穴４ａｃのそれぞれは、映像機器の背面から正面に向かう方向と、映像機器の下方向との間の斜め方向に延びた形状を有している。ＨＤＤ７のダンパー７ａが、切り欠き穴４ａｃに挿入されてその奥までスライドされると、ＨＤＤ７が凹部４ａａの内部において左バックカバー４ａに取り付けられる。
【００２３】
左バックカバー４ａの凹部４ａａの底面のうち電源基板６が取り付けられる底面には、ボス４ａｄが設けられている。電源基板６が、ボス４ａｄとネジ固定されると凹部４ａａの内部において左バックカバー４ａに取り付けられる。なお、電源基板６が取り付けられる当該底面には、アース用板金８を挿入可能な挿入穴４ａｅが設けられている。
【００２４】
同図４に示すように、映像機器は、スタンド３により保持されるブラケット９と、スタンド３の一部を挿入するためのホルダー１０と、板金ホルダー１１と、信号基板１２とを備えている。
【００２５】
表示パネル１の背面１ａの複数個所には、様々な部品が取り付けられるユーザーホール１ｂが設けられている。板金ホルダー１１は、板金製の基板ホルダーであり、右バックカバー４ｂと表示パネル１の背面１ａとの間において、表示パネル１のユーザーホール１ｂのいくつかと固定されている。
【００２６】
また、ブラケット９も、ユーザーホール１ｂのいくつかとネジ固定されている。本実施の形態では、左バックカバー４ａが、このブラケット９ともネジ固定されている。このように、左バックカバー４ａがブラケット９などの剛体とも固定されることから、落下衝撃などの衝撃によるバックカバー４の損傷を防ぐことが可能となっている。なお、アース用板金８も、挿入穴４ａｅ内に挿入された状態で、ブラケット９とネジ固定されている。
【００２７】
信号基板１２は、表示パネル１で画像を表示するのに必要な信号処理を行う回路が設けられた基板であり、多点アースを必要とするものである。本実施の形態に係る信号基板１２は、右バックカバー４ｂと表示パネル１の背面１ａとの間において、板金ホルダー１１上にネジ固定されており、板金ホルダー１１との間で多点アースを取っている。
【００２８】
なお、電源基板６は、一般的なＡＣ電源コンセント（図示しない）、ＨＤＤ７、及び、信号基板１２のそれぞれとケーブル（図示しない）を介して電気的に接続されている。このような電気的な接続により、映像機器は、電源基板６からの電力を用いて、表示パネル１に映像を表示することが可能となっている。
【００２９】
次に、映像機器が図２に示される状態において、電源基板６及びＨＤＤ７を交換する方法について説明する。この場合には、まず、交換用蓋５と左バックカバー４ａとのネジ固定が解除され、交換用蓋５が左バックカバー４ａから取り外される（図３）。
【００３０】
電源基板６を交換する場合には、電源基板６とボス４ａｄとのネジ固定が解除され、取り付けられていた電源基板６が凹部４ａａから取り外される（図４）。その後、新しい電源基板６について、これまでの取り外す手順と逆の手順が行われる。
【００３１】
ＨＤＤ７を交換する場合には、ＨＤＤ７が切り欠き穴４ａｃに沿ってスライドされ、取り付けられていたＨＤＤ７が凹部４ａａから取り外される（図４）。その後、新しいＨＤＤ７について、これまでの取り外す手順と逆の手順が行われる。
【００３２】
このような本実施の形態に係る映像機器においては、右バックカバー４ｂを取り外さなくても、交換用蓋５を取り外すだけで電源基板６及びＨＤＤ７を交換することができる。したがって、電源基板６及びＨＤＤ７の交換作業及び修理作業を簡易化することができる。
【００３３】
次に、図２に示される映像機器から、信号基板１２を交換する方法について説明する。この場合には、まず、右バックカバー４ｂとフロントカバー２とのネジ固定が解除され、右バックカバー４ｂがフロントカバー２から取り外される（図４）。そして、信号基板１２と板金ホルダー１１とのネジ固定が解除され、取り付けられていた信号基板１２が取り外される（図４）。その後、新しい信号基板１２についてこれまでの取り外す手順と逆の手順が行われる。
【００３４】
このような本実施の形態に係る映像機器においては、左バックカバー４ａに対して作業を行わなくても、右バックカバー４ｂを取り外すだけで、信号基板１２を交換することができる。したがって、信号基板１２の交換作業及び修理作業を簡易化することができる。
【００３５】
そして、以上のような本実施の形態に係る映像機器においては、電源基板６及びＨＤＤ７がバックカバー４と着脱可能となっている。したがって、電源基板６及びＨＤＤ７の取り付けに対しては板金ホルダー１１を用いなくて済むことから、板金ホルダー１１の寸法を小さくすることができる。よって、板金ホルダー１１の設計時に考慮すべきユーザーホール１ｂの数を減らすことができることから板金ホルダー１１の設計を容易化することができるとともに、板金ホルダー１１のコストを低減することができる。
【符号の説明】
【００３６】
１  表示パネル、１ｂ  ユーザーホール、４  バックカバー、４ａ  左バックカバー、４ａａ  凹部、４ｂ  右バックカバー、５  交換用蓋、６  電源基板、７  ＨＤＤ、１１  板金ホルダー、１２  信号基板。
【図１】
2011249975.tif 000003
【図２】
2011249975.tif 000004
【図３】
2011249975.tif 000005
【図４】
2011249975.tif 000006